(57)【要約】  【課題】戸板が撓んで戸板同士が近接した状態で戸板を移動させた際に、戸板ないし戸板に取り付けた係止具が隣接する戸板に摺接したまま移動することにより、隣接する戸板に跡がついてしまい見栄えを大きく損なう不具合の発生を防ぐ。  【解決手段】複数枚の戸板たる第１〜第３の戸板２〜４を具備し、これら第１〜第３の戸板２〜４がほぼ完全に厚み方向視重合する全開位置Ｏと、互いに厚み方向に隣接する戸板のうち前方に位置する戸板の開放側端部と後方に位置する戸板の閉止側端部のみが厚み方向視重合する全閉位置Ｓとの間で移動可能な引違い戸１に、一端部を第１又は第２の戸板２、３の開放側端部に接続しているとともに他端部を全閉位置Ｓにおいて該戸板の側端部に対向する戸板すなわち第２又は第３の戸板３、４の裏面にそれぞれ摺接可能にしている第１、第２のスライダ７、８をさらに具備させる。  【選択図】図４
2008106558.tif 000002
【特許請求の範囲】
【請求項１】
複数枚の戸板を具備し、これらの戸板がほぼ完全に厚み方向視重合する全開位置と厚み方向に互いに隣接する戸板の側端縁部のみが厚み方向視重合する全閉位置との間で移動可能なものであって、一端部を戸板の側端部に直接的又は間接的に接続しているとともに他端部を全閉位置において該戸板の側端部に対向する戸板の裏面に摺接可能にしているスライダをさらに具備することを特徴とする引違い戸。
【請求項２】
前記戸板の裏面の両側端からそれぞれ突出する側枠材をさらに具備するとともに、前記スライダの他端部をこの側枠材と対向させていることを特徴とする引違い戸。
【請求項３】
前記側枠材が戸板と略平行な折り返し部を有するとともに、前記スライダの一端部と前記戸板との間に、前記折り返し部と前記戸板との間に一部を位置させることが可能な扉離れ防止具を設けていることを特徴とする請求項２記載の引違い戸。
【請求項４】
前記側枠材が戸板と略平行な折り返し部を有するとともに、前記スライダの一端部に、前記折り返し部と前記戸板との間に一部を位置させることが可能な扉離れ防止部を設けていることを特徴とする請求項２記載の引違い戸。
【請求項５】
前記スライダの一端部に前記側枠材に設けたスライダ取付孔と係合可能な係止爪を設けていることを特徴とする請求項２、３又は４記載の引違い戸。
【請求項６】
前記スライダが、該スライダを接続した戸板の移動の略全領域で、該戸板と該戸板の表面側に隣接する戸板との間に位置することを特徴とする請求項１、２、３、４又は５記載の引違い戸。
【請求項７】
前記戸板を３枚以上具備することを特徴とする請求項１、２、３、４、５、６、７又は８記載の引違い戸。
【請求項８】
複数枚の戸板を有し、これらの戸板がほぼ完全に厚み方向視重合する全開位置と厚み方向に互いに隣接する戸板の側端縁部のみが厚み方向視重合する全閉位置との間で移動可能である引違い戸に取り付けられるものであって、一端部を戸板の側端部に直接的又は間接的に接続させてなるとともに他端部を全閉位置において該戸板の側端部に対向する戸板の裏面に摺接可能にしていることを特徴とするスライダ。
【請求項９】
前記戸板が裏面の両側端からそれぞれ突出する側枠材を有するとともに前記側枠材が戸板と略平行な折り返し部をさらに有する引違い戸に取り付けられるものであって、前記折り返し部と前記戸板との間に一部を位置させることが可能な扉離れ防止部を設けていることを特徴とする請求項８記載のスライダ。
【請求項１０】
一端部に前記側枠材に設けたスライダ取付孔と係合可能な係止爪を設けていることを特徴とする請求項９記載のスライダ。
【発明の詳細な説明】
【技術分野】
【０００１】
本発明は、複数枚の戸板及びスライダを具備する引違い戸、及びこのような引き違い戸に使用するスライダに関する。
【背景技術】
【０００２】
近年、開口部をより大きく確保する等の目的で、３枚以上の戸板を有する引違い戸が用いられる場面が発生してきている。このような引違い戸において、全ての戸板を幅方向略全域にわたって重合させた全開状態から、一つの戸板に操作力を加え、互いに隣接する戸板のうち一方の戸板の一側端縁及び他方の戸板の他側端縁のみを重合させた全閉状態にすべく、全閉状態において互いに対向する戸板の側端縁に係止部を互いに他方の戸板に向けて突出させて設け、操作力が与えられた際に係止部同士が互いに当接して操作力を伝達させるようにする態様が考えられている。（例えば、特許文献１、２を参照）。
【特許文献１】特開平５−２３１０７１号公報
【特許文献２】特開２００２−１４７１０９号公報
【発明の開示】
【発明が解決しようとする課題】
【０００３】
しかして、このような引違い戸では、全体としての厚みを小さくすべく、個々の戸板の厚さ寸法を小さくする要望や、戸板間の厚さ方向距離を小さくする要望が存在する。ところが、このように戸板の厚さ寸法や戸板間の厚さ方向距離を小さくすると、戸板が撓みやすくなり、また、隣接する戸板との距離が小さくなるので、戸板が撓み、前記係止部が隣接する戸板に当接することが多くなる。その際、特に戸板の裏面側に設けた係止部が隣接する戸板に当接したまま戸板が移動すると、隣接する戸板に跡がついてしまい見栄えを大きく損なう不具合が発生しうる。
【０００４】
本発明は、以上に述べた課題を解決すべく構成するものである。
【課題を解決するための手段】
【０００５】
すなわち本発明に係る引違い戸は、複数枚の戸板を具備し、これらの戸板がほぼ完全に厚み方向視重合する全開位置と厚み方向に互いに隣接する戸板の側端縁部のみが厚み方向視重合する全閉位置との間で移動可能なものであって、一端部を戸板の側端部に直接的又は間接的に接続しているとともに他端部を全閉位置において該戸板の側端部に対向する戸板の裏面に摺接可能にしているスライダをさらに具備することを特徴とする。
【０００６】
また、本発明に係るスライダは、複数枚の戸板を有し、これらの戸板がほぼ完全に厚み方向視重合する全開位置と厚み方向に互いに隣接する戸板の側端縁部のみが厚み方向視重合する全閉位置との間で移動可能である引違い戸に取り付けられるものであって、一端部を戸板の側端部に直接的又は間接的に接続させてなるとともに他端部を全閉位置において該戸板の側端部に対向する戸板の裏面に摺接可能にしていることを特徴とする。
【０００７】
これらのようなものであれば、スライダは一方の戸板に接続されていて、他方の戸板の裏面に対向するので、戸板が撓む等して厚み方向に隣接する戸板の方向に移動しても、前記スライダが前記一方の戸板に優先して当接するので、スライダは戸板の裏面に添接しながら移動することになり、戸板の表面が損傷することを防ぐことができる。
【０００８】
このような引違い戸の戸板を撓みにくくするための態様として、前記戸板の裏面の両側端からそれぞれ突出する側枠材をさらに具備するとともに、前記スライダの他端部をこの側枠材と対向させているものが挙げられる。このようなものであれば、前記側枠材により戸板の厚み方向への作用に対する剛性を確保できるからである。
【０００９】
引違い戸が全閉位置にある際に戸板を取り外して引違い戸により区成される空間内に侵入される不具合の発生を防ぐための態様として、前記側枠材が戸板と略平行な折り返し部を有するとともに、前記スライダの一端部と前記戸板との間に、前記折り返し部と前記戸板との間に一部を位置させることが可能な扉離れ防止具を設けているものや、前記側枠材が戸板と略平行な折り返し部を有するとともに、前記スライダの一端部に、前記折り返し部と前記戸板との間に一部を位置させることが可能な扉離れ防止部を設けているものが挙げられる。
【００１０】
このようなスライダの取付を容易に行えるようにするための態様として、前記スライダの一端部に前記側枠材に設けたスライダ取付孔と係合可能な係止爪を設けているものが挙げられる。このような構成であれば、スライダを戸板の前方から前記スライダ取付孔に嵌め入れることにより該スライダを取り付けることができるからである。
【００１１】
戸板同士が衝突して戸板の表面が損傷する不具合の発生をより確実に防ぐための態様として、前記スライダが、該スライダを接続した戸板の移動の略全領域で、該戸板と該戸板の表面側に隣接する戸板との間に位置するものが挙げられる。このようなものであれば、厚み方向に互いに隣接する戸板間にスライダが位置するので、このスライダがスペーサとしての機能を発揮するからである。
【００１２】
以上に述べたような効果を好適に得ることができる引違い戸として、前記戸板を３枚以上具備するものが挙げられる。
【発明の効果】
【００１３】
本発明に係る引違い戸及びスライダによれば、スライダは一方の戸板に接続されていて、他方の戸板の裏面に対向するので、戸板が撓む等して厚み方向に隣接する戸板の方向に移動しても、スライダが戸板に優先して当接するので、スライダは戸板の裏面に添接しながら移動することになり、戸板の表面が損傷することを防ぐことができる。
【発明を実施するための最良の形態】
【００１４】
以下、本発明の第一実施形態を、図面を参照して説明する。
【００１５】
本実施形態に係る引違い戸１は、全閉位置Ｓにある状態を裏側から見た斜視図を図１、全閉位置Ｓにある状態の平面図を図２、全開位置Ｏにある状態の平面図を図３、図２における要部の拡大図を図４にそれぞれ示すように、複数の戸板、具体的には、前記第１、第２、及び第３の戸板２、３、４とを具備する。これら前記第１、第２、及び第３の戸板２、３、４は、それぞれ略矩形板状をなすものであり、それぞれ平行に配置してある。全閉位置Ｓにおいては、図１、図２、及び図４に示すように、第１の戸板１の図２における矢印ｘ方向（以下開放方向）側の側端部の前方（裏側から見て奥）に第２の戸板２の前記矢印ｘと反対方向（以下閉止方向）側の側端部を、第２の戸板２の前記開放方向側の側端部の前方（裏側から見て奥）に第３の戸板３の前記閉止方向側の側端部をそれぞれ重合させてこれら前記第１、第２、及び第３の戸板２、３、４を配している。全開位置Ｏにおいては、図３に示すように、これら前記第１、第２、及び第３の戸板２、３、４は略完全に重合している。
【００１６】
また、本実施形態では、前記第１、第２、及び第３の戸板２、３、４は、面板部２０、３０、４０と、この面板部２０、３０、４０の両側端縁をそれぞれ背面側に折り返して形成した側枠部２１、３１、４１とを具備する。これら側枠部２１、３１、４１は、側端縁から後方に突出する起立板部２２、３２、４２と、この起立板部の突出端から戸板２、３、４の面板部に対向するように連接した折り返し部２３、３３、４３とをそれぞれ有する。さらに本実施形態では、前記第１、第２、及び第３の戸板２、３、４は、上端縁を背面側に折り返して形成した上枠部２４、３４、４４、及び下端縁を背面側に折り返して形成した下枠部２５、３５、４５もさらに具備する。また、全閉位置Ｓにおいて一端部を第１の戸板２の開放方向側端部に接続しているとともに他端部を前記第２の戸板３の閉止方向側端部に設けた側枠部３１内に収納可能な第１の扉離れ防止具５と、及び全閉位置Ｓにおいて一端部を第２の戸板３の開放方向側端部に接続しているとともに他端部を第３の戸板４の閉止方向側端部に設けた側枠部４１内に収納可能な第２の扉離れ防止具６とをさらに具備する。
【００１７】
前記第１の扉離れ防止具５は、第２の戸板３の面板部３０の背面に対向する防止具本体５１と、この防止具本体５１と第１の戸板２の背面とを接続する接続部５２とを有する。この接続部５２は、第１の戸板２の背面に固着させた固着部５２１と、この固着部５２１から後方に起立させて設けた起立板部５２２と、この起立板部５２２と前記防止具本体５１とを前記第１の戸板２の後方及び外側方において接続する外接続部５２３とを具備する。また、全閉位置Ｓにおいては、前記防止具本体５１と、前記接続部５２の外接続部５２３とにより区成される空間内に、第２の戸板３の側枠部３１を収納可能にしている。すなわち、全閉位置Ｓにおいて、前記防止具本体５１と前記第２の戸板３の側枠部３１の折り返し部３３とを対向させ、第１の戸板２又は第２の戸板３が厚み方向に互いに離間させる作用を受けた際にこれら防止具本体５１と前記第２の戸板３の側枠部３１の折り返し部３３とを当接させて第１の戸板２と第２の戸板３との離間を防ぐようにしている。そして、本実施形態では、これら防止具本体５１と接続部５２とを一体に形成している。なお、本実施形態では、これら防止具本体５１と接続部５２とを板金加工により形成している。
【００１８】
前記第２の扉離れ防止具６は、前記第１の扉離れ防止具５と略同様の構成を有する。すなわち、第３の戸板４の面板部４０の背面に対向する防止具本体６１と、この防止具本体６１と第２の戸板３の背面とを接続する接続部６２とを有する。この接続部６２は、第２の戸板３の背面に固着させた固着部６２１と、この固着部６２１から後方に起立させて設けた起立板部６２２と、この起立板部６２２と前記防止具本体６１とを前記第２の戸板３の後方及び外側方において接続する外接続部６２３とを具備する。また、全閉位置Ｓにおいては、前記防止具本体６１と、前記接続部６２の外接続部６２３とにより区成される空間内に、第３の戸板４の側枠部４１を収納可能にしている。すなわち、全閉位置Ｓにおいて、前記防止具本体６１と前記第３の戸板４の側枠部４１の折り返し部４３とを対向させ、第２の戸板３又は第３の戸板４が厚み方向に互いに離間させる作用を受けた際にこれら防止具本体６１と前記第３の戸板４の側枠部４１の折り返し部４３とを当接させて第２の戸板３と第３の戸板４との離間を防ぐようにしている。そして、本実施形態では、これら防止具本体６２と接続部６２とを一体に形成している。なお、本実施形態では、これら防止具本体６１と接続部６２とを板金加工により形成している。
【００１９】
しかして本実施形態では、前記第１の扉離れ防止具５と第２の戸板３の面板部３０の背面との間に設けた第１のスライダ７と、前記第２の扉離れ防止具６と第３の戸板４の面板部４０の背面との間に設けた第２のスライダ８とをさらに具備する。
【００２０】
具体的には、前記第１のスライダ７は、第１の扉離れ防止具５の防止具本体５１の正面側に設けられる。また、第２のスライダ８は、第２の扉離れ防止具６の防止具本体６１の正面側に設けられる。これら第１、第２のスライダ７、８は、本実施形態では樹脂製の半球状の部材である。そして、これら第１、第２のスライダ７、８は、全開位置Ｏと全閉位置Ｓとの間の全行程において第１又は第２の戸板２、３の面板部２０、３０の背面に対向し摺接可能である。
【００２１】
この引違い戸１を全閉位置Ｓから全開位置Ｏに移動させる際には、第１の戸板２を開放方向（すなわち図２の矢印ｘ方向）に移動させる。すると、まず第１の戸板２及び第１の扉離れ防止具５が一体的に開放方向に移動する。それから、第２の戸板３に接続した第２の扉離れ防止具６と前記第１の扉離れ防止具５とが当接し、これらが当接した状態で第１の戸板２及び第２の戸板３が一体的に開放方向に移動する。逆に、引違い戸１を全開位置Ｏから全閉位置Ｓに移動させる際には、第１の戸板２を閉止方向（すなわち図３の矢印ｙ方向）に移動させる。すると、上述した開放動作の際と同様に、まず第１の戸板２及び第１の扉離れ防止具５が一体的に閉止方向に移動する。それから、前記第１の扉離れ防止具５と第２の戸板３の閉止方向側端の側枠部３１とが当接し、これらが当接した状態で第１の戸板２及び第２の戸板３が一体的に閉止方向に移動する。そして、これら第１、第２のスライダ７、８は、上述したように、全開位置Ｏと全閉位置Ｓとの間の全行程において第２又は第３の戸板３、４の面板部３０、４０の背面にそれぞれ対向し摺接可能である。
【００２２】
また、前記第１の戸板２と第２の戸板３とが厚さ方向に近接する方向に作用を受けると、前記第１のスライダ７が前記第２の戸板３に当接し、前記第１の戸板２と第２の戸板３とがそれ以上厚さ方向に近接することを規制する。すなわち、前記第２の戸板３の側枠の折り返し部が第１の戸板２の正面に当接したまま摺動することを規制する。同様に、前記第２の戸板３と第３の戸板４とが厚さ方向に近接する方向に作用を受けると、前記第２のスライダ８が前記第３の戸板４に当接し、前記第２の戸板３と第３の戸板４とがそれ以上厚さ方向に近接することを規制する。すなわち、前記第３の戸板４の側枠の折り返し部が第２の戸板３の正面に当接したまま摺動することを規制する。
【００２３】
本実施形態に係る引違い戸１は、以上に述べたように、第１、第２、及び第３の戸板２、３、４を具備するとともに、一端部を第１の戸板２の側端部に前記第１の扉離れ防止具５を介して接続しているとともに他端部を第２の戸板３の裏面に摺接可能にしている第１のスライダ７と、一端部を第２の戸板３の側端部に前記第２の扉離れ防止具６を介して接続しているとともに他端部を第３の戸板４の裏面に摺接可能にしている第２のスライダ８とをさらに具備するので、上述したように、第１の戸板２と第２の戸板３とが互いに相寄る方向に移動しても、また、第２の戸板３と第３の戸板４とが互いに相寄る方向に移動しても、前記第１のスライダ７が第１の戸板２に優先して第２の戸板３に、また、前記第２のスライダ８が第２の戸板３に優先して第３の戸板４にそれぞれ当接するので、第１、第２のスライダ７、８は第２、第３の戸板３、４の裏面に添接しながら移動することになり、第１、第２の戸板２、３の表面が損傷することを防ぐことができる。
【００２４】
また、第１、第２、及び第３の戸板２、３、４が、前記裏面の両側端からそれぞれ突出する側枠材２１、３１、４１をそれぞれ具備するので、これら側枠材２１、３１、４１により第１、第２、及び第３の戸板２、３、４の厚み方向への作用に対する剛性を確保し、これら第１、第２、及び第３の戸板２、３、４を撓みにくくすることができる。
【００２５】
前記側枠材２１、３１、４１が戸板２、３、４と略平行な折り返し部２３、３３、４３をそれぞれ有するとともに、前記第１、第２のスライダ７、８の一端部と前記第１、第２の戸板２、３との間に、前記第２、第３の戸板３、４の折り返し部３３、４３と前記第１、第２の戸板２、３との間に一部を位置させることが可能な第１、第２の扉離れ防止具７、８を設けているので、引違い戸１が全閉位置Ｓにある際に戸板２、３、４を取り外して引違い戸１により区成される空間内に侵入される不具合の発生を防ぐことができる。
【００２６】
そして、前記第１及び第２のスライダ７、８が、該スライダ７、８を接続した第１及び第２の戸板２、３の移動の略全領域で、第１の戸板２と第２の戸板３との間、及び第２の戸板３と第３の戸板４との間に位置するので、第１の戸板２と第２の戸板３との間に第１のスライダ７、第２の戸板３と第３の戸板４との間に第２のスライダ８がそれぞれ位置し、これら第１及び第２のスライダ７、８がスペーサとしての機能を発揮する。従って、戸板同士が衝突して戸板の表面が損傷する不具合の発生をより確実に防ぐことができる。
【００２７】
次に、本発明の第二実施形態について述べる。なお、上述した第一実施形態におけるものに対応する部位には、同一の名称及び符号を付している。
【００２８】
本実施形態に係る引違い戸Ａ１は、全閉位置Ｓにある状態を裏側から見た斜視図を図５、全閉位置Ｓにある状態の平面図を図６、全開位置Ｏにある状態の平面図を図７、図６における要部の拡大図を図８にそれぞれ示すように、複数の戸板、具体的には、第１の戸板２と、第２の戸板３と、第３の戸板４とを具備する。これら第１の戸板２、第２の戸板３、及び第３の戸板４は、それぞれ略矩形板状をなすものであり、それぞれ平行に配置してある。全閉位置Ｓにおいては、図５、図６、及び図８に示すように、第１の戸板１の全開位置Ｏ側の側端部の後方（裏側から見て手前）に第２の戸板２の全閉位置Ｓ側の側端部を、第２の戸板２の全開位置Ｏ側の側端部の後方（裏側から見て手前）に第３の戸板３の全閉位置Ｓ側の側端部をそれぞれ重合させて位置させた状態である。全開位置Ｏにおいては、図７に示すように、これら第１の戸板１、第２の戸板２、及び第３の戸板３は略完全に重合している。
【００２９】
前記第１〜第３の戸板２〜４は、上述した第１実施形態におけるものと略同様の構成を有するので、これら第１〜第３の戸板２〜４の構成については、上述した第１実施形態におけるものとの相違点についてのみ述べる。
【００３０】
前記第１及び第２の戸板２、３の側縁部には、図９に示すように、後述する第１、第２の扉離れ防止スライダＡ７、Ａ８をそれぞれ取付可能にスライダ受孔２ｘ、３ｘをそれぞれ設けている。
【００３１】
しかして本実施形態では、上述した第一実施形態における前記第１の扉離れ防止具５、前記第１のスライダ７、前記第２の扉離れ防止具６、及び前記第２のスライダ８に代えて、第１、第２の扉離れ防止スライダＡ７、Ａ８をさらに具備する。
【００３２】
具体的には、前記第１の扉離れ防止スライダＡ７は、第１の戸板２の正面側に取り付けられる。すなわち、第１の戸板２に設けた前記スライダ受け孔２ａに正面側から取り付けるようにしている。一方、前記第２の扉離れ防止スライダＡ８は、第２の戸板３の正面側に取り付けられる。すなわち、第２の戸板３に設けた前記スライダ受け３ｘに正面側から取り付けるようにしている。そして、これら第１、第２の扉離れ防止スライダは、全開位置Ｏと全閉位置Ｓとの間の全行程において第２又は第３の戸板３、４の背面に対向し摺接可能である。
【００３３】
前記第１の扉離れ防止スライダＡ７の構成についてさらに詳述すると、この第１の扉離れ防止スライダＡ７は、前記第１の戸板２の面板部２０に設けたスライダ受孔２ｘを貫通するスライダ本体Ａ７１と、前記スライダ本体Ａ７１の後端部から前側方に突出し第１の戸板２に設けたスライダ受孔２ｘの背面側の開口縁部に係合可能であるとともに弾性変形により該スライダ受孔２ｘ内に退避可能な係止爪Ａ７２と、前記スライダ本体Ａ７１の厚さ寸法を増すべく上方及び下方にそれぞれ延設しているとともに前記スライダ受孔２ｘの正面側の開口縁部に対向する対向面Ａ７ａを有する位置決め部Ａ７３と、前記スライダ本体Ａ７１の前端部から側方に延設してなる扉離れ防止部たる抱着部Ａ７４とを具備する。
【００３４】
前記第２の扉離れ防止スライダＡ８は、本実施形態では前記第１の扉離れ防止スライダと同一の形状をなす。すなわち、この第２の扉離れ防止スライダＡ８は、前記第２の戸板３の面板部３０に設けたスライダ受孔３ｘを貫通するスライダ本体Ａ８１と、前記スライダ本体Ａ８１の後端部から前側方に突出し前記スライダ受孔３ｘの背面側の開口縁部に係合可能であるとともに弾性変形により該スライダ受孔３ｘ内に退避可能な係止爪Ａ８２と、前記スライダ本体Ａ８１の厚さ寸法を増すべく上方及び下方にそれぞれ延設しているとともに前記スライダ受孔２ｘの正面側の開口縁部に対向する対向面Ａ３ａを有する位置決め部Ａ８３と、前記スライダ本体Ａ８１の前端部から側方に延設してなる扉離れ防止部たる抱着部Ａ８４とを具備する。
【００３５】
この引違い戸Ａ１を全閉位置から全開位置に移動させる際には、第１の戸板２を開放方向（すなわち図６の矢印ｘ方向）に移動させる。すると、まず第１の戸板２及び第１の扉離れ防止スライダＡ７が一体的に開放方向に移動する。それから、第１の戸板２の側枠材２１の起立板部２２と前記第２の戸板３の側枠材３１の折り返し部３３とが当接し、これらが当接した状態で第１の戸板２及び第２の戸板３が一体的に開放方向に移動する。逆に、引違い戸１を全開位置から全閉位置に移動させる際には、第１の戸板２を閉止方向（すなわち図７の矢印ｙ方向）に移動させる。すると、上述した開放動作の際と同様に、まず第１の戸板２及び第１の扉離れ防止スライダＡ７が一体的に閉止方向に移動する。それから、前記第１の扉離れ防止スライダＡ７と第２の戸板３の閉止方向側端の側枠部３１とが当接し、これらが当接した状態で第１の戸板２及び第２の戸板３が一体的に閉止方向に移動する。そして、これら第１、第２の扉離れ防止スライダＡ７、Ａ８は、上述したように、全開位置Ｏと全閉位置Ｓとの間の全行程において第２又は第３の戸板３、４の背面にそれぞれ対向し摺接可能である。
【００３６】
また、前記第１の戸板２と第２の戸板３とが厚さ方向に近接する方向に作用を受けると、前記第１の扉離れ防止スライダＡ７が前記第２の戸板３に当接し、前記第１の戸板２と第２の戸板３とがそれ以上厚さ方向に近接することを規制する。すなわち、前記第２の戸板３の側枠材３１の折り返し部３３が第１の戸板２の正面に当接したまま摺動することを規制する。同様に、前記第２の戸板３と第３の戸板４とが厚さ方向に近接する方向に作用を受けると、前記第２の扉離れ防止スライダＡ８が前記第３の戸板４に当接し、前記第２の戸板３と第３の戸板４とがそれ以上厚さ方向に近接することを規制する。すなわち、前記第３の戸板４の側枠材４１の折り返し部４３が第２の戸板３の正面に当接したまま摺動することを規制する。
【００３７】
本実施形態に係る引違い戸Ａ１は、以上に述べたように、第１、第２、及び第３の戸板２、３、４を具備するとともに、一端部を第１の戸板２の側端部に接続しているとともに、他端部を第２の戸板３の裏面に摺接可能にしている第１の扉離れ防止スライダＡ７と、一端部を第２の戸板３の側端部に接続しているとともに他端部を第３の戸板４の裏面に摺接可能にしている第２の扉離れ防止スライダＡ８とをさらに具備するので、上述したように、第１の戸板２と第２の戸板３とが互いに相寄る方向に移動しても、また、第２の戸板３と第３の戸板４とが互いに相寄る方向に移動しても、前記第１の扉離れ防止スライダＡ７が第１の戸板２に優先して第２の戸板３に、また、前記第２の扉離れ防止スライダＡ８が第２の戸板３に優先して第３の戸板４にそれぞれ当接するので、第１、第２の扉離れ防止スライダＡ７、Ａ８は第２、第３の戸板３、４の裏面に添接ないし摺接しながら移動することになり、第１、第２の戸板２、３の表面が損傷することを防ぐことができる。
【００３８】
また、第１、第２、及び第３の戸板２、３、４が、前記裏面の両側端からそれぞれ突出する側枠材２１、３１、４１をそれぞれ具備するので、これら側枠材２１、３１、４１により第１、第２、及び第３の戸板２、３、４の厚み方向への作用に対する剛性を確保し、これら第１、第２、及び第３の戸板２、３、４を撓みにくくすることができる。
【００３９】
前記側枠材２１、３１、４１が戸板２、３、４と略平行な折り返し部２３、３３、４３をそれぞれ有するとともに、前記第１、第２の扉離れ防止スライダＡ７、Ａ８の抱着部Ａ７４、Ａ８４を第２又は第３の戸板の折り返し部３３、４３と前記第２又は第３の戸板の面板部３、４との間に一部を位置させることを可能にしているので、引違い戸１が全閉位置Ｓにある際に戸板２、３、４を取り外して引違い戸１により区成される空間内に侵入される不具合の発生を防ぐことができる。
【００４０】
そして、前記第１及び第２の扉離れ防止スライダＡ７、Ａ８が、該扉離れ防止スライダＡ７、Ａ８を接続した第１及び第２の戸板２、３の移動の略全領域で、第１の戸板２と第２の戸板３との間、及び第２の戸板３と第３の戸板４との間に位置するので、第１の戸板２と第２の戸板３との間に第１の扉離れ防止スライダＡ７、第２の戸板と第３の戸板との間に第２の扉離れ防止スライダＡ８がそれぞれ位置し、これら第１及び第２の扉離れ防止スライダＡ７、Ａ８がスペーサとしての機能を発揮する。従って、戸板同士が衝突して戸板の表面が損傷する不具合の発生をより確実に防ぐことができる。
【００４１】
加えて、本実施形態では、全閉位置Ｓにおいて、上述したように第１、第２の扉離れ防止スライダＡ７、Ａ８の抱着部Ａ７４、Ａ８４を第２又は第３の戸板の折り返し部３３、４３と前記第２又は第３の戸板の面板部３、４との間に位置させ、さらに第１、第２の扉離れ防止スライダＡ７、Ａ８が樹脂製であるので、この第１、第２の扉離れ防止スライダＡ７、Ａ８を、引違い戸を全閉位置Ｓに保持するキャッチとして機能させることができる。
【００４２】
なお、本発明は以上に述べた実施形態に限られない。
【００４３】
例えば、複数枚の戸板を有する引違い戸の戸板の正面側にスライダを直接接続してもよい。
【００４４】
また、上述した第二実施形態において、スライダの突出部は省略し、スライダにスペーサ機能及び該スペーサに対向する戸板の側枠部と当接させて該スペーサに接続した戸板と該スペーサに対向する戸板とを連動させる機能のみを備えさせるようにしてもよい。
【００４５】
さらに、既存の引違い戸に上述したようなスライダを取り付けるようにしてももちろんよい。
【００４６】
その他、本発明の趣旨を逸脱しない範囲で種々変形が可能である。
【図面の簡単な説明】
【００４７】
【図１】本発明の第一実施形態に係る引違い戸を全閉位置に配した状態を示す斜視図。
【図２】同実施形態に係る引違い戸を全閉位置に配した状態を示す中央横断面図。
【図３】同実施形態に係る引違い戸を全開位置に配した状態を示す中央横断面図。
【図４】図２における要部の拡大図。
【図５】本発明の第二実施形態に係る引違い戸を全閉位置に配した状態を示す斜視図。
【図６】同実施形態に係る引違い戸を全閉位置に配した状態を示す中央横断面図。
【図７】同実施形態に係る引違い戸を全開位置に配した状態を示す中央横断面図。
【図８】図６における要部の拡大図。
【図９】同実施形態に係る扉離れ防止スライダの取付態様を示す分解斜視図。
【符号の説明】
【００４８】
１、Ａ１…引違い戸
２〜４…第１〜第３の戸板
５、６…第１、第２の扉離れ防止具
７、８…第１、第２のスライダ
Ａ７、Ａ８…第１、第２の扉離れ防止スライダ
【図１】
2008106558.tif 000003
【図２】
2008106558.tif 000004
【図３】
2008106558.tif 000005
【図４】
2008106558.tif 000006
【図５】
2008106558.tif 000007
【図６】
2008106558.tif 000008
【図７】
2008106558.tif 000009
【図８】
2008106558.tif 000010
【図９】
2008106558.tif 000011